(57)【要約】【課題】建物本体に隣接して少なくとも三方が囲まれた庭において、温度上昇を抑制して快適な居住環境を提供する。【解決手段】建物本体１に隣接して少なくとも三方が囲まれた庭２に、保水性能・浸透性能を有するブロック材３を敷設する。その敷設したブロック材３に対する水の供給手段、すなわち、散水管４をブロック材３内に敷設する。なお、建物本体１の開口（開閉窓２２・２３・２４・２５）が庭２に面している。例えばブロック材３を現場打ちし、そのブロック材３に配管溝３１を掘って散水管４を敷設する。そして、ブロック材３部分と植栽Ｐが可能な土部分２０とを組み合わせて庭２が構成され、散水管４は土部分２０にも埋設されている。【選択図】図２
2008196223.tif 000002
【特許請求の範囲】
【請求項１】
建物本体に隣接して少なくとも三方が囲まれた庭に、保水性能・浸透性能を有するブロック材を敷設したことを特徴とする庭構造。
【請求項２】
前記ブロック材内に散水管を敷設したことを特徴とする請求項１に記載の庭構造。
【請求項３】
前記散水管への水の供給を制御する制御手段を備えたことを特徴とする請求項２に記載の庭構造。
【請求項４】
前記建物本体の開口が前記庭に面していることを特徴とする請求項１から３のいずれか一項に記載の庭構造。
【請求項５】
前記ブロック材を現場打ちし、前記ブロック材に配管溝を掘って散水管を敷設したことを特徴とする請求項１から４のいずれか一項に記載の庭構造。
【請求項６】
散水管が埋設されたブロック材を並べて敷設したことを特徴とする請求項１から４のいずれか一項に記載の庭構造。
【請求項７】
前記ブロック材部分と植栽が可能な土部分とを組み合わせて前記庭が構成され、
前記散水管は前記土部分にも埋設されていることを特徴とする請求項２から６のいずれか一項に記載の庭構造。
【発明の詳細な説明】
【技術分野】
【０００１】
本発明は、建物本体に隣接して少なくとも三方が囲まれた庭の構造に関する。
【背景技術】
【０００２】
ヒートアイランド現象を抑制することを目的として、建築物の屋上やベランダ、テラスに多孔質セラミックス及び散水管を敷設したものがある（特許文献１参照）。
【特許文献１】特開２００３−１０５８８３号公報
【発明の開示】
【発明が解決しようとする課題】
【０００３】
しかし、多孔質セラミックスは保水性が不十分であるため、温度上昇の抑制効果の面で不十分であった。
【０００４】
本発明の課題は、建物本体に隣接して少なくとも三方が囲まれた庭において、温度上昇を抑制して快適な居住環境を提供することである。
【課題を解決するための手段】
【０００５】
以上の課題を解決するため、請求項１に記載の発明は、例えば図１及び図２に示すように、建物本体１に隣接して少なくとも三方が囲まれた庭２に、保水性能・浸透性能を有するブロック材３を敷設したことを特徴とする。
【０００６】
なお、ブロック材としては、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリートを型枠に入れて固めたものが挙げられる。
【０００７】
請求項１に記載の発明によれば、庭２に敷設したブロック材３に水を浸透させて保持できるので、建物本体１に隣接して少なくとも三方が囲まれた、熱気がこもりがちな中庭等の庭２の温度上昇を抑制できる。
【０００８】
請求項２に記載の発明は、請求項１に記載の庭構造であって、例えば図２から図５に示すように、前記ブロック材３内に散水管４を敷設したことを特徴とする。
【０００９】
請求項２に記載の発明によれば、庭２に敷設したブロック材３が乾燥した際に、そのブロック材３に敷設された散水管４より水を確実に供給できる。
【００１０】
請求項３に記載の発明は、請求項２に記載の庭構造であって、前記散水管４への水の供給を制御する制御手段を備えたことを特徴とする。
【００１１】
請求項３に記載の発明によれば、ブロック材３への水の供給を適切に制御できる。
【００１２】
請求項４に記載の発明は、請求項１から３のいずれか一項に記載の庭構造であって、例えば図２、図５に示すように、前記建物本体１の開口（開閉窓２２・２３・２４・２５）が前記庭２に面していることを特徴とする。
【００１３】
請求項４に記載の発明によれば、庭２に面した開閉窓２２・２３・２４・２５やドアを開けて自然換気を行う際、庭２に敷設したブロック材３により温度上昇を抑制された比較的温度の低い外気を建物内部に取入れて、快適な居住環境を形成できる。
【００１４】
請求項５に記載の発明は、請求項１から４のいずれか一項に記載の庭構造であって、例えば図５に示すように、前記ブロック材３を現場打ちし、前記ブロック材３に配管溝３１を掘って散水管４を敷設したことを特徴とする。
【００１５】
請求項６に記載の発明は、請求項１から４のいずれか一項に記載の庭構造であって、例えば図６に示すように、散水管４が埋設されたブロック材３を並べて敷設したことを特徴とする。
【００１６】
請求項７に記載の発明は、請求項２から６のいずれか一項に記載の庭構造であって、例えば図２から図５に示すように、前記ブロック材３部分と植栽Ｐが可能な土部分とを組み合わせて前記庭２が構成され、前記散水管４は前記土部分２０にも埋設されていることを特徴とする。
【００１７】
請求項７に記載の発明によれば、庭２を構成するブロック材３部分と植栽用土部分２０のどちらにも水を供給でき、例えば暑くない日は植栽用土部分２０にのみ給水できるように適切に選択できる。
【発明の効果】
【００１８】
本発明によれば、建物本体に隣接して少なくとも三方が囲まれた、熱気がこもりがちな中庭等の庭に敷設したブロック材の保水性能により温度上昇を抑制でき、快適な居住環境を提供できる。
【発明を実施するための最良の形態】
【００１９】
以下、図を参照して本発明を実施するための最良の形態を詳細に説明する。
〔第１実施形態〕
図１から図３は本発明を適用した第１実施形態の構成を示すもので、図示例では、戸建て住宅において、建物本体１のほぼ中央に設けられ、建物本体１に隣接して四方が囲まれた中庭２に、保水性能・浸透性能を有するブロック材３が敷設されている。
【００２０】
すなわち、建物本体１の内部には、ほぼ中央の中庭２を囲むようにして四方を巡る廊下１１が設けられるともに、この廊下１１の周囲四方に玄関１２やリビング１３、水回り室１４、和室１５等が設けられている。
中庭２は、平面視で略四角形状に形成されていて、その四方が建物本体１の壁２１で囲まれている。これら四方の壁２１には、玄関１２側の開閉窓２２、リビング１３側の開閉窓２３、水回り室１４側の開閉窓２４、和室１５側の開閉窓２５が設けられている。
【００２１】
このように四方の壁２１に開閉窓２２・２３・２４・２５を備えた中庭２に敷設されたブロック材３は、保水性能および浸透性能を有している。
ここで、ブロック材３は、例えば砂を混入することなく、かつ強度を補う添加剤を添加することなく、粒度３〜２０ｍｍの軽石（乾燥比重が０.４）５０〜６２重量％とポルトランドセメント５０〜３８重量％との配合物に、水４０〜５０重量％を散布して混練した状態の生コンクリートを型枠に入れて固めたものである。なお、軽石は産地により乾燥比重が多少ばらつくが、大きな相違はない。
【００２２】
また、配合比を容積で表すと、軽石（乾燥比重が０.４）７０〜８５容積％と、ポルトランドセメント３０〜１５容積％との配合物に対して水２０〜３０容積％を散布して混練するものである。
さらに、このように軽石を骨材とするコンクリートの含水比重は、セメントと砕石等の天然骨材とポルトランドセメントのみを使用したコンクリートの約６０％であり、乾燥比重は、約５０％である。
【００２３】
保水性能については、軽石を骨材として使用したブロック材３の含水比重は約１２００kg／ｍ３であり、およそ３００kg／ｍ３以上の水分を保水できる。また、浸透性能については、軽石で保水しきれなくなった水分を透過させるので、天然骨材を使用したコンクリートと同等の性能を得ることができる。
すなわち、このような軽石を骨材とするブロック材３を庭等の舗装面の舗装材として用いた場合、例えばブロック材３を５０ｍｍの厚みで舗装すると、含水重量は６０kg／ｍ２であり、乾燥重量は４５kg／ｍ２であるから１５リットルの水を保水することが可能となる。つまり、ブロック材３は、このような舗装面を形成できるような優れた性能を有している。
【００２４】
以上において、本実施形態では、中庭２に現場打ちしてブロック材３を敷設している。
すなわち、四方の壁２１の下の布基礎２６で囲まれた中庭２の地盤上に、前述した配合比の生コンクリートを打設して、所定の養生により乾燥・硬化させることでブロック材３による舗装面を形成する。
なお、図３において、右側は地盤上にブロック材３を直接敷設した構造を示し、左側は地盤上に捨て砂利５を敷設してから、その捨て砂利５上にブロック材３を敷設した構造を示している。このように地盤上にブロック材３を直接敷設しても、地盤上に捨て砂利５を敷設してからブロック材３を敷設しても何れでも良い。
【００２５】
そして、ブロック材３による舗装面の周囲に沿って二本の配管溝３１（図４参照）を形成し、その配管溝３１に散水管４を埋設する。散水管４は、図示しないが、多数の小孔を有して全長に渡りほぼ均等に水を排水することができるもので、ブロック材３に水を満遍なく行き渡らせることができる。
【００２６】
図５は配管溝３１の形成と散水管４の敷設の工程を示すもので、一部の植栽用土部分２０を除いて敷設したブロック材３の周囲に沿った二本の配管溝３１に散水管４を配管した後、配管溝３１を埋め戻していく。
また、散水管４は、植栽用土部分２０にも適宜配管しておく。そして、散水栓４を散水栓６に接続する。この散水栓６は手動式または／及び自動式のもので、ブロック材３に埋設する。
このように、ブロック材３に対する水の供給手段が設けられることによって、ブロック材３または／及び植栽用土部分２０が乾燥した際に、水をブロック材３または／及び植栽用土部分２０に確実に供給することができる。また、雨の少ない時季でもブロック材３または／及び植栽用土部分２０に対して自由に水を供給することができるようになっている。
なお、図示例では、散水栓６の隣に立水栓７が設置されている。
【００２７】
以上の中庭２に敷設したブロック材３の周囲と植栽用土部分２０を除いた部分には、透水タイル８を並べて敷設する一方、その外側の周囲に化粧砂利９を敷設する。
そして、植栽用土部分２０には適宜の植栽Ｐを植え付ける。
なお、散水栓６は手動により開閉操作可能であるが、ブロック材３に保水量を感知するセンサを設けておくとともに、散水栓６をセンサやタイマに連動する制御手段付きの自動制御式のものとすることで、自動的にブロック材３または／及び植栽用土部分２０に水を供給できるので好ましい。
【００２８】
以上の中庭構造によれば、夏季に熱気がこもりがちな中庭２に敷設したブロック材３の保水性能により温度上昇を抑制して、快適な居住環境を形成することができる。
すなわち、中庭２に敷設したブロック材３に水を浸透させて保持できることから、ブロック材３によって保持した水が蒸発するに際して、所定の熱量をブロック材３及びその周囲から奪うことができるので、中庭２の温度上昇を抑制することができる。従って、中庭２の温度低下を図ることができる。
【００２９】
そして、中庭２に面する四方の開閉窓２２・２３・２４・２５を開けて自然換気を行う際に、中庭２の比較的温度の低い外気を、建物内部の玄関１２やリビング１３、水回り室１４、和室１５等に取り入れることができ、快適な居住環境を形成することが可能となる。
さらには、玄関１２のドアを開け放したり、その他の各部屋に設けられた複数の開閉窓を開けたりすることによって、建物内部の通風性が向上するので、中庭２の比較的温度の低い外気を建物内部に効率良く行き渡らせることができる。
また、中庭２を、建物本体１の上下階に連通するように構成することによって、中庭２の比較的温度の低い空気を上下階の各部屋に行き渡らせることも可能となる。
【００３０】
なお、暑くないときは、散水栓６の制御機能により、植栽用土部分２０のみに水を供給できるように選択することもできる。
【００３１】
〔第２実施形態〕
図６は本発明を適用した第２実施形態の構成を示すもので、図示のように、散水管４が埋設されたブロック材３を用いたものである。なお、その他の構成は前記第１実施形態と同様につき同一部材には同一符号を付して説明を省略する。
すなわち、このように散水管４が埋設されたブロック材３を、中庭２に並べて敷設する構造としても良く、前述した第１実施形態と同様の作用効果が得られる。
【００３２】
なお、以上の実施形態においては、中庭としたが、本発明はこれに限定されるものではなく、建物本体に隣接して少なくとも三方が囲まれた庭であれば良い。
また、建物及び庭の形状や造作等も任意であり、その他、具体的な細部構造等についても適宜に変更可能であることは勿論である。
【図面の簡単な説明】
【００３３】
【図１】本発明を適用した第１実施形態の構成を示すもので、建物の一プラン例を示した平面図である。
【図２】図１の中庭部分の拡大図である。
【図３】図２の縦断面図である。
【図４】図３の部分拡大図である。
【図５】配管溝の形成と散水管の敷設の工程を示す平面図である。
【図６】本発明を適用した第２実施形態の構成を示すもので、散水管が埋設されたブロック材の斜視図（ａ）及び縦断面図（ｂ）である。
【符号の説明】
【００３４】
１  建物本体
２  庭
２０  土部分
２１  壁
２２・２３・２４・２５  開閉窓
２６  布基礎
３  ブロック材
３１  配管溝
４  散水管
５  捨て砂利
６  散水栓
７  立水栓
８  透水タイル
９  化粧砂利
Ｐ  植栽
【図１】
2008196223.tif 000003
【図２】
2008196223.tif 000004
【図３】
2008196223.tif 000005
【図４】
2008196223.tif 000006
【図５】
2008196223.tif 000007
【図６】
2008196223.tif 000008